(57)【要約】  本発明は、ケーブル閉鎖システム用の挟持装置に関する。挟持装置は、支持ベースと、閉鎖ケーブルと作動的に結び付けることができる滑車と、滑車と一体に連結され、かつ手動で起動されうるハンドルと、を備える。この挟持装置は、滑車の歯付き表面と作動的に係合可能である第１及び第２の保持手段と、ハンドルとは別個である制御手段とを備える。第１及び第２の保持手段と制御手段は、閉鎖ケーブルの挟持張力の完全な解放又は制御された解放を得ることができるように、作動的に結び付けられている。【選択図】図２
2016519604.tif 000002
【特許請求の範囲】
【請求項１】
支持ベース（２）と、
閉鎖ケーブルと作動的に結び付けることができかつ前記閉鎖ケーブル用の巻回面（３１０）を備える滑車（３）であって、前記閉鎖ケーブルの第１の巻取り方向（Ｄ１）又は第２の巻出し方向（Ｄ２）に従って、前記支持ベースに対し実質的に直交する第１の回転軸線（Ａ）を中心にして前記支持ベースとの関係において回転できる滑車（３）と、
前記滑車に連結され、かつ手動で起動されて前記滑車を回転させることのできるハンドル（４）と、を備える挟持装置（１）において、
前記挟持装置が、
前記滑車の歯付き表面（３３１）と作動的に係合可能である第１の保持手段（５）及び第２の保持手段（６）と、
前記ハンドルとは別個でありかつ前記第１の保持手段（５）及び前記第２の保持手段（６）と作動的に結び付けられた制御手段（７）であって、前記第１の回転軸線（Ａ）とは異なり前記第１の回転軸線（Ａ）に対して平行である回転軸線（Ｃ）を中心にして前記支持ベースとの関係において少なくとも部分的に回転できる制御レバー（７）を含んでいる制御手段（７）と、を備え、
前記第１の保持手段（５）は、前記制御手段（７）が保持位置（Ｒ）にある場合、前記第２の巻出し方向（Ｄ２）に従って前記滑車（３）が回転するのを妨げ、前記第１の保持手段（５）及び前記第２の保持手段（６）は、前記制御手段（７）が前記保持位置（Ｒ）と完全解放位置（７）との間で起動された場合に、前記滑車（３）が前記第２の巻出し方向（Ｄ２）に従って自由に回転できるようにしており、前記第１の保持手段（５）及び前記第２の保持手段（６）は、前記制御手段（７）が前記保持位置（Ｒ）と制御解放位置（Ｐ２）との間で起動された場合に、前記第２の巻出し方向（Ｄ２）に従って前記滑車（３）が段階的に回転できるようにすることを特徴とする、挟持装置。
【請求項２】
前記第１の保持手段が、前記第１の回転軸線（Ａ）に平行な第２の回転軸線（Ｂ）を中心にして前記支持ベースとの関係において少なくとも部分的に回転できる第１のラチェット（５）を備え、前記第１のラチェットが、前記滑車の歯付き表面（３３１）と係合可能な第１の歯（５１）及び前記制御手段との第３及び第４の結合部分（５２、５３）を備えることを特徴とする請求項１に記載の挟持装置。
【請求項３】
前記第２の保持手段が、前記第１の回転軸線（Ａ）に平行な第３の回転軸線（Ｃ）を中心にして前記支持ベースとの関係において少なくとも部分的に回転できる第２のラチェット（６）を備え、前記第２のラチェットが、前記滑車の歯付き表面（３３１）と係合可能な第２の歯（６１）及び前記制御手段（７１）との第５の結合部分（６２）を備えることを特徴とする請求項１及び２の１つ以上に記載の挟持装置。
【請求項４】
第１のラチェット（５）及び第２のラチェット（６）の第１の歯（５１）及び第２の歯（６１）は、前記制御手段（７）が前記保持位置（Ｒ）と前記制御解放位置（Ｐ２）との間で交互に起動された場合に、前記滑車の歯付き表面（３３１）と交互に係合するように互いとの関係において位置づけされていることを特徴とする請求項２及び３に記載の挟持装置。
【請求項５】
前記制御レバー（７）が前記第１の保持手段（５）との第６及び第７の結合部分（７１、７２）及び前記第２の保持手段（６）との第８の結合部分（７３）を備えることを特徴とする請求項１〜４の１つ以上に記載の挟持装置。
【請求項６】
前記制御レバー（７）及び前記第２のラチェット（６）が、モノブロックを形成するように互いに一体化して連結されていることを特徴とする請求項３及び５に記載の挟持装置。
【請求項７】
前記支持ベースに固定され、前記滑車の歯付き表面（３１１）からの前記第１の保持手段（５）の係合解除移動に対抗しかつ前記保持位置（Ｒ）からの前記制御手段（７）の移動に対抗するように配置されている弾性手段（８）を備えることを特徴とする請求項１〜６の１つ以上に記載の挟持装置。
【請求項８】
請求項１〜７の１つ以上に記載の挟持装置（１）を備えることを特徴とする、ケーブル閉鎖システム。
【請求項９】
請求項１〜７の１つ以上に記載の挟持装置（１）を備えることを特徴とする物品。
【請求項１０】
衣類、履物、運動用具又は整形外科用医療装置であることを特徴とする請求項９に記載の物品。
【発明の詳細な説明】
【技術分野】
【０００１】
本発明は、挟持装置、詳細にはケーブル閉鎖システム等を有する物品用の挟持装置に関する。
【背景技術】
【０００２】
公知の通り、ケーブル閉鎖システムの主要な利点は、それが、閉鎖システムが組付けられている物品の部品間に比較的高い挟持力を加えることを可能にするという点にある。
ケーブル閉鎖システムは一般に、挟持されるべき部品と作動的に結び付けられた閉鎖ケーブルに対して引張力を加えることができ、かつケーブルの保持動作を保証してその望ましくない緩みを防止することのできる挟持装置を含んでいる。
【０００３】
ある特許文献は、閉鎖ケーブルの制御された及び完全な解放を提供することのできる挟持装置について記載している（例えば、特許文献１参照。）。このような装置は、例えばユーザーが防護手袋を着用している場合等は、作動が比較的困難である。
他の従来の挟持装置は、閉鎖ケーブルの制御された解放を可能にするものではない。さらに、現在市販されている挟持装置は比較的複雑で嵩高い構造を有し、工業規模での製造コストが比較的高い。
【先行技術文献】
【特許文献】
【０００４】
【特許文献１】欧州特許出願公開第０６５１９４号
【発明の概要】
【発明が解決しようとする課題】
【０００５】
本発明の主な狙いは、上述の問題を克服できるようにする挟持装置を提供することにある。
【０００６】
この狙いの範囲内で、本発明の目的の１つは、不利な環境条件においても特に信頼性が高く使用が容易である挟持装置を製造することにある。
【０００７】
本発明の別の目的は、容易に調節される挟持力を加えることを可能にする挟持装置を製造することにある。
【０００８】
本発明のさらなる目的は、特に単純で頑健でコンパクトな構造を有する挟持装置を製造することにある。
【０００９】
本発明のさらに別の目的は、競合力あるコストで工業規模での製造が比較的簡単である挟持装置を製造することにある。
【課題を解決するための手段】
【００１０】
本発明は、本明細書中で提案されている請求項１及び関連する従属請求項に記載の挟持装置を提供する。
【００１１】
本発明に係る挟持装置のさらなる利点は、純粋に非限定的な例示を目的として提供されている以下の説明及び添付図面を参照することによりさらに明白となる。
【図面の簡単な説明】
【００１２】
【図１】図１は異なる操作位置の中の１つにおける本発明に係る挟持装置の斜視図を概略的に示している。
【図２】図２は異なる操作位置の中の１つにおける本発明に係る挟持装置の斜視図を概略的に示している。
【図３】図３は異なる操作位置の中の１つにおける本発明に係る挟持装置の斜視図を概略的に示している。
【図４】図４は異なる操作位置の中の１つにおける本発明に係る挟持装置の断面図を概略的に示している。
【図５】図５は異なる操作位置の中の１つにおける本発明に係る挟持装置の断面図を概略的に示している。
【図６】図６は異なる操作位置の中の１つにおける本発明に係る挟持装置の断面図を概略的に示している。
【図７】図７は異なる操作位置の中の１つにおける本発明に係る挟持装置の断面図を概略的に示している。
【図８】図８は異なる操作位置の中の１つにおける本発明に係る挟持装置の斜視図を概略的に示している。
【図９】図９は異なる操作位置の中の１つにおける本発明に係る挟持装置の斜視図を概略的に示している。
【図１０】図１０は異なる操作位置の中の１つにおける本発明に係る挟持装置の斜視図を概略的に示している。
【図１１】図１１は異なる操作位置の中の１つにおける本発明に係る挟持装置の断面図を概略的に示している。
【図１２】図１２は異なる操作位置の中の１つにおける本発明に係る挟持装置の断面図を概略的に示している。
【図１３】図１３は異なる操作位置の中の１つにおける本発明に係る挟持装置の断面図を概略的に示している。
【図１４】図１４は異なる操作位置の中の１つにおける本発明に係る挟持装置の斜視図を概略的に示している。
【図１５】図１５は異なる操作位置の中の１つにおける本発明に係る挟持装置の斜視図を概略的に示している。
【図１６】図１６は異なる操作位置の中の１つにおける本発明に係る挟持装置の断面図を概略的に示している。
【図１７】図１７は異なる操作位置の中の１つにおける本発明に係る挟持装置の斜視図を概略的に示している。
【図１８】図１８は異なる操作位置の中の１つにおける本発明に係る挟持装置の断面図を概略的に示している。
【図１９】図１９は異なる操作位置の中の１つにおける本発明に係る挟持装置の断面図を概略的に示している。
【発明を実施するための形態】
【００１３】
上述の図を参照すると、本発明は挟持装置１に関する。
挟持装置１は、ケーブル閉鎖又は類似のタイプの閉鎖システムを有するあらゆる物品のために使用可能である。
挟持装置１は、衣服（例えばスポーツウェア）及び履物、例えばウォーキング用、安全用、アルペンスキー用、クロスカントリースキー用、スノーボード用、トレッキング用、ノルディックウォーキング用、登山及びサイクリング用の履物、ならびに他のタイプの運動用履物上での使用に特に好適である。
挟持装置１は同様に、あらゆるタイプの運動用具、例えばスノーボード、スキー、ヘルメット、アクセサリ、スノーシューズ等にも使用可能である。
挟持装置１は、同様に、整形外科用医療装置例えば、カラー、ブレース、コルセット等においても使用可能である。
【００１４】
挟持装置１は、物品の表面に締結され得る支持ベース２を備える。例えば、運動用履物に挟持装置１を使用する場合、ベース２は靴の甲又は舌革の縁部に締結され得る。
ベース２の締結は、有利には、糊着、リベット留め、溶接、縫合又は他の公知の技術を使用することによって得ることができる。
挟持装置１は、少なくとも１つの閉鎖ケーブル（又は公知のタイプの他の閉鎖要素）と作動的に結び付けられてそれに対し引張力を加えるように意図されている。
有利には、閉鎖ケーブル（図示せず）は、挟持すべき物品の部品と作動的に結び付けられている。例えば、挟持装置１は、履物に使用される場合、締めひも部域内で反復的に交叉させて、挟持すべき靴の甲の縁部と作動的に結び付けることができる。
【００１５】
挟持装置１は、回転可能な形で支持ベース２と作動的に結び付けられた滑車３を備える。
滑車３は、締結表面３１０Ａ上で閉鎖ケーブルと作動的に結び付けることができ、ここでケーブルの少なくとも一端部、又はより一般的にはケーブルの少なくとも１つの部分を、取外し可能な形で滑車３に締結することができる。
閉鎖ケーブルを滑車３に締結するため、閉鎖ケーブルは有利には、滑車上で得られる１つ以上の貫通孔３６の中を通過させられる。
滑車３は、好ましくは締結表面３１０Ａと異なるものである閉鎖ケーブルの巻回面３１０を備える。
滑車３は、前述のベースとの関係において直交する第１の回転軸線Ａを中心にしてベース２との関係において回転することができる。
詳細には、滑車３は、巻回面３１０上又は巻回面３１０からの第１の巻取り方向Ｄ１又は第２の巻出し方向Ｄ２に従って回転可能である。
滑車３は、好適な保持手段により係合され得るような形で、歯付き表面３３１を備える。
【００１６】
挟持装置１は、滑車３に結合されて、それと一体を成して連結されるハンドル４を備える。
ハンドル４は、巻取り方向Ｄ１に従って、そして任意には巻出し方向Ｄ２にも従って滑車３を回転させるように手動で起動され得る。
挟持装置１は、滑車３の歯付き表面３３１と作動的に係合され得る第１及び第２の保持手段５〜６、及び保持手段５〜６と作動的に結び付けられハンドル４とは別個の制御手段７を備える。
好ましくは、挟持装置１は、ベース２に固定され保持手段５〜６及び制御手段７と作動的に結び付けられた弾性手段８を備える。
好ましくは、滑車３は、ベース２と係合するための第１の部分３１、ハンドル４と結合するための第２の部分３２、及び歯付き表面３３１を備える歯車３３を備える。
【００１７】
（前述の図中に示されている）平担な水平表面上でのベース２の位置づけを参照すると、滑車３の部分３１、３２はそれぞれ、歯車３３の回転平面（図示せず）との関係において上下に位置づけされている。
歯車３３の上部表面は、有利には確動嵌めによりハンドル４の下部表面と結合される。
滑車３の部分３１は、巻回面３１０を備え、有利には、ベース２との関係において上昇した状態に歯車３１の下部表面を維持し、ケーブルが巻回面３１０上に巻取られそこから巻出されるのを可能にするような形で整形されている。
【００１８】
本発明の一部の実施形態（図示せず）によると、滑車３の部分３１は、歯車３１の下部表面との関係において遠位位置でこの表面に対して平行に延在する壁を備える。前記壁は、ベース２の上部表面と接触状態にあってよく、歯車３１の下部表面と協働して１つの容積を画定し、巻回面３１０上に巻取られた時点で閉鎖ケーブルがこの中に位置づけされる。
【００１９】
このような解決法は、閉鎖ケーブルとベース２の間の摩擦を減少させて、滑車３の回転移動及び巻回面３１０上／からの閉鎖ケーブルの巻取り／巻出しを容易にすることができるということがわかる。
滑車３の部分３２は、締結表面３１０Ａを備え、ハンドル４と結合される。
【００２０】
このようにして、ハンドル４は滑車３と一体を成して結合されるものの、それにより形成されるアセンブリは、ベース２との関係において回転可能である。
【００２１】
有利には、保持手段５〜６は、滑車３及びハンドル４によって形成されたアセンブリとの関係において側方位置に配置されて、歯付き表面３３１と容易に相互作用することができる。
【００２２】
同様に、制御手段７は滑車３及びハンドル４によって形成されたアセンブリとの関係において側方位置に配置されて、挟持装置の垂直方向の全体的寸法をさらに削減している。
好ましくは、ベース２とハンドル４は、互いに結合された時点で、滑車３、保持手段５〜６及び少なくとも部分的に制御手段７を格納するための容積を画定する箱形ケーシングを形成するように整形される。これらの制御手段は、有利には、側方位置において前記ケーシングから突出するように配置されている。
好ましくは、ベース２は、上に挟持装置が組付けられる予定の物品に対し締結され得る支持用部分２２と、ハンドル４と摺動する形で結合された第２及び第３の保護部分２３、２４とを備えるように整形されている。
【００２３】
ベース２の部分２２は、実質的に平担であり、滑車３の部分３１との摺動結合用の座部を形成するように整形されている。
ベース２の部分２３、２４は、部分２２から直交方向に出現し、滑車３を少なくとも部分的に取り囲んで、それを側方で保護する。
ベース２の部分２４はシェルの形に整形されて、保持手段５〜６及び制御手段７の上面を保護し、保持手段５〜６が歯付き表面３３１と相互作用し制御手段７が外向きに突出できるようにしている。
好ましくは、ベース２の部分２４は、保持手段５〜６、制御手段７及び弾性手段８のためのアンカーピン２４１、２４２、２４３を形成するように整形されている。
好ましくは、ベース２の部分２２、２３は、モノブロックで製造され、一方部分２４は、アンカーピン２４１、２４２、２４３の中に得られた適切な座面の内部に挿入されたネジ（図示せず）を用いて、部分２２に締結されている。
【００２４】
これにより挟持装置１の組立てを簡略化する方法がわかった。
好ましくは、挟持装置１は、ベース２、滑車３及びハンドル４を互いに作動的に連結するための連結手段９１、９１０、９１１を備える。
好ましくは、これらの連結手段は、回転軸線Ａに沿って、ベース２の開口部２１及び滑車３の貫通孔３５を通る整形されたピン９１を備える。
ピン９１は、回転軸線Ａに沿って、開口部２１の対応する整形された縁部と結合された整形された頭部及びハンドル４の開口部４１を通過するネジ（図示せず）を収納するように配置されたネジ穴９１１を備える。
このようにして、前述のネジ及びピン９１が相互に結合された時点で、滑車３は、ベース２とハンドル４の間で不動化され、回転軸線４を中心として自由に回転できる。
【００２５】
こうして、挟持装置１は、実質的にサンドイッチ形の全体的構造を有し、この中で、支持ベース２とハンドル４との間に滑車３が位置づけされ、保持手段５〜６及び制御手段が、滑車３とハンドル４により形成されたアセンブリとの関係において側方位置で、ベース２の位置２２と２４の間に位置づけされる。
こうして、特に垂直方向で（すなわちベース２に直交する方向で）全体的寸法を著しく削減することが可能である。
有利には、制御手段７は、制御レバー（好ましくは単一の制御レバー）を備え、このレバーは、回転軸線Ａとは異なり前記回転軸線Ａに対して平行である１本の回転軸線（例えば、本発明の一部の実施形態における回転軸線Ｃ）を中心にしてベース２との関係において少なくとも部分的に回転することができる。
【００２６】
本発明によると、制御手段７は、保持位置Ｒ、完全解放位置Ｐ１及び制御解放位置Ｐ２をとることができる。
保持手段５〜６及び制御手段７は、以下のような形で互いに配置され、作動的に結び付けられている、
第１の保持手段５は、制御手段７が保持位置Ｒにある場合、方向Ｄ２に従って滑車３が回転するのを妨げる、
第１及び第２の保持手段５〜６は、制御手段が保持位置Ｒと完全解放位置７との間で起動された場合に、滑車３が方向Ｄ２に従って自由に回転できるようにする、
第１及び第２の保持手段５〜６は、制御手段７が保持位置Ｒと制御解放位置Ｐ２との間で起動された場合に、方向Ｄ２に従って滑車３が段階的に回転できるようにする。
好ましくは、第１の保持手段５は、第１の回転軸線Ａに平行な第２の回転軸線Ｂを中心にしてベース２との関係において少なくとも部分的に回転できる第１のラチェット５を備える。
ラチェット５は有利には、回転軸線Ｂに沿って配置されたアンカーピン２４１においてベース２に固定される。
【００２７】
ラチェット５は、滑車３の歯付き表面３３１と係合可能な第１の歯５１及び制御手段との第３及び第４の結合部分５２〜５３を備える。
好ましくは、ラチェット５の部分５２〜５３は、回転軸線Ｂとの関係において反対側の位置にある。
ラチェット５は、歯５及び結合部分５２〜５３が、実質的にベース２の部分２２に対して平行な異なる重畳する基準平面に沿って配置されるような形で、整形され位置づけされている。
詳細には、部分５２〜５３は、ベース２の部分２２との関係において近位位置で第１の基準平面に沿って配置され、一方歯５１は、ベース２の部分２２との関係において遠位位置で第２の基準平面に沿って配置されている。
従って、ラチェット５は、滑車３及び制御手段７との多くの結合表面を有するものの、非常にコンパクトな構造を有する。
第２の保持手段６は、回転軸線Ａに平行な第３の回転軸線Ｃを中心にして前記支持ベースとの関係において少なくとも部分的に回転できる第２のラチェット６を備える。
ラチェット６は有利には、回転軸線Ｃに沿って配置されたアンカーピン２４３においてベース２に固定される。
【００２８】
ラチェット６は、滑車３の歯付き表面３３１と係合できる第２の歯６１及び制御手段７との第５の結合部分６２を備える。
好ましくは、ラチェット６は結合部分６２において制御手段７と一体を成して連結されている。
【００２９】
本発明の変形実施形態において、ラチェット６は、制御手段７との関係において別個であり、これらの手段と結合部分６２において相互作用することができる。
有利には、ラチェット６は、歯６１が歯付き表面３３１と相互作用できるように実質的にラチェット５の歯５１と同じ基準平面に沿って配置されるような形で整形され位置づけされる。
【００３０】
その上、ラチェット５〜６の歯５１及び６１は、それぞれ制御手段が保持位置Ｒと制御解放位置Ｐ２との間で交互に起動された場合に、滑車３の歯付き表面３３１と交互に係合するように位置づけされている。
この目的で、歯５１と６１は、有利には、おおよその長さＬ＝［Ｎ＋１／２］・Ｐ（式中Ｐは歯付き表面３３１の歯のピッチであり、Ｎは正の整数である）を有する（歯付き表面３３１に外接する）円周の弧によって離隔されている。
好ましくは、制御レバー７は、第１の保持手段、特にラチェット５との第６及び第７の結合部分７１〜７２と、第２の保持手段、特にラチェット６との第８の結合部分７３とを備える。
有利には、制御レバー７は、結合部分７１〜７２〜７３が、実質的にベース２の部分２２に対して平行な異なる重畳する基準平面に沿って配置されるような形で、整形され位置づけされている。
詳細には、結合部分７１〜７２は、実質的にラチェット５の結合部分５２〜５３と同じ基準平面に沿って配置されて、それと相互作用できるようになっている。
その代り、結合部分７３は、実質的にラチェット５〜６の歯５１、６１と同じ基準平面に沿って配置されている。
好ましくは、制御レバー７及びラチェット６は、それぞれ、結合部分７３及び６２において（モノブロックを形成するように）互いに一体を成して連結されている。
好ましくは、制御レバー７は、ラチェット６と同じ回転軸線Ｃを中心にしてベース２との関係において回転でき、有利には同じアンカーピン２４３において固定される。
【００３１】
本発明の変形実施形態において、制御レバー７は、ラチェット６との関係において別個の本体を形成することができる。
この場合、制御レバー７及びラチェット６は、それぞれの結合部分７３及び６２において相互作用するように配置されており、制御レバー７は、回転軸線Ｃとは異なる回転軸線においてベース２との関係において回転するように、かつアンカーピン２４３とは異なる固定用ピンにおいてベース２に固定されるように配置されている。
【００３２】
上述の通り、制御レバー７は、保持位置Ｒ、完全解放位置Ｐ１及び制御解放位置Ｐ２をとることができる。
制御レバー７は、有利には、第１及び第２の起動表面７４〜７５において手動で起動され得る。
起動表面７４〜７５に対し手動で作用することによって、制御レバー７をそれぞれ完全解放位置Ｐ１及び制御解放位置Ｐ２まで移動させることができる。
【００３３】
上述の通り、挟持装置１は好ましくは、ラチェット５〜６及び制御レバー７と作動的に結び付けられた弾性手段８を備える。
弾性手段８は、歯付き表面３１１からの第１の保持手段５の係合解除移動に対抗し、保持位置Ｒからの制御手段７のあらゆる移動に対抗するように配置されている。
弾性手段８は、好ましくは、アンカーピン２４２においてベース２に対し固定された捩りバネを備える。
バネ８の第１の端部８１は、ラチェット５の歯５１に対し作動的に係合されて、歯付き表面３３１からのその係合解除移動に対抗し、かつ保持位置Ｒから完全解放位置Ｐ１までの制御レバー７の移動に間接的に対抗する。
バネ８の第２の端部８２は、制御レバー７に対して作動的に結合されて、保持位置Ｒから制御解放位置Ｐ２までのその移動に対抗する（図６）。
【００３４】
ここで、挟持装置１の機能についてさらに詳述する。
休止状態で、制御レバー７は、バネ８の作用に起因して保持位置Ｒにあり（図１〜７）、このバネはこの位置からのこの制御レバーのあらゆる移動に対抗する。
この状況下で、ラチェット５の歯５１は、歯付き表面３３１と係合され、一方ラチェット６の歯６１は歯付き表面３３１と接触状態にない。
従って、ラチェット５は、閉鎖ケーブルの巻出し方向Ｄ２に従った滑車３の移動を妨げ、滑車３を回転方向Ｄ２との関係においてロック位置に維持する。
【００３５】
ラチェット５又はラチェット６のいずれも、ラチェット５〜６の歯及び歯付き表面１３１の配向に起因して、滑車３が閉鎖ケーブルの巻取り方向Ｄ１に従って移動するのを妨げることができない、という点に留意すべきである。
閉鎖ケーブルの挟持張力を増大させるためには、ハンドル４に作用して、それを方向Ｄ１に従って回転させることが必要である。
滑車３は、ハンドル４と一体で、方向Ｄ１に従って回転する。
こうして、挟持装置１は、閉鎖ケーブル上に引張力を加え、その結果として挟持張力は増大する。
挟持装置１のこの作動段階の間、制御レバー７は、操作されていないため保持位置Ｒにとどまる。
ラチェット５は方向Ｄ１に従った滑車３の移動を妨げないものの、歯付き表面１３１からの歯５１の係合解除移動に対抗するバネ８（端部８１）の作用に起因して、歯付き表面１３１と摺動接触状態にとどまる。
【００３６】
所望の挟持張力を得た後、ハンドル４は簡単に解放される。
制御レバー７は保持位置Ｒにあることから、ラチェット５は直ちに歯付き表面１３１と係合し、滑車３を、方向Ｄ１に従った回転移動中に滑車が到達する位置に対応する（方向Ｄ２に従った回転との関係における）新しいロック位置に維持する。
これにより、閉鎖ケーブルの挟持張力の緩みはことごとく防止される。
未経験のユーザーでさえも同様に、いかにして閉鎖ケーブルの挟持張力の微調整を実施できるかは明白である。
その上、閉鎖ケーブルの挟持張力は、所望の挟持張力に達するまで方向Ｄ１に従ってハンドル４を始動させる一連の操作を用いて増大させることができる。
【００３７】
閉鎖ケーブルを完全に解放するためには、制御レバー７を起動させて、それを保持位置Ｒから完全解放位置Ｐ１まで移動させ（矢印Ｓ１）なければならない（図８〜１３）。
この目的で、起動表面７４に作用して、挟持装置の主要本体から離れるように制御レバー７を移動させることができる。
制御レバー７は、位置Ｐ１に到達するまで回転軸線Ｃを中心にして（図８〜９、１１〜１２内の反時計回り方向で）回転移動Ｓ１を実施し、この位置Ｐ１においてそれはベース２の部分２４の第１の停止表面と接触する。
【００３８】
制御レバー７の回転移動Ｓ１中、制御レバー７の部分７１は、ラチェット５の部分５２に力を加えて、制御レバー７の回転移動Ｓ１との関係において調和する方向で、回転軸線Ｂを中心にしたラチェット５の回転移動を決定する。
ラチェット５の回転移動は、歯付き表面１３１からの歯５１の係合解除を決定する。
【００３９】
ラチェット５の係合解除移動は、バネ８（すなわちその端部８１−図６）の作用によって対抗され、こうしてこのバネ８は同様に位置Ｐ１に向かう制御レバー７の移動に間接的に対抗する（ラチェット５及び制御レバー７は、それぞれ位置５１及び７１で互いに対し機械的に結合されている）。
【００４０】
位置Ｐ１に向かう制御レバー７の回転Ｓ１は、同じ回転軸線Ｃを中心としたラチェット６の調和した回転移動をひき起こし、歯付き表面１３１から離れるような歯６１のさらなる運動をひき起こす。
制御レバー７が完全解放位置に到達した場合、ラチェット５又はラチェット６のいずれも滑車３が閉鎖ケーブルの巻出し方向Ｄ２に従って運動するのを妨げることができない。
閉鎖ケーブルは、（ケーブルにより挟持された部品により及ぼされる反力に起因して）、方向Ｄ２に従った滑車３の自由な回転をひき起こす引張力を受け、その結果、滑車３の表面３１０から閉鎖ケーブルが巻出され、挟持張力が緩む。
この段階で、方向Ｄ２に従ってハンドル４を回転させることにより、滑車３の回転に随伴することが可能である（ただし、必要なわけではない）。
【００４１】
挟持張力が（制御された形で）緩んだ後、制御レバー７は簡単に解放可能である。
バネ８により及ぼされた作用は、制御レバー７を自動的に保持位置Ｒまで戻す。
ラチェット５は歯付き表面（３）と再び係合し、方向Ｄ２に従った回転移動中に滑車が到達する位置に対応する（方向Ｄ２に従った回転との関係における）新しいロック位置に滑車３を維持して、挟持張力のさらなる緩みをことごとく防止する。
閉鎖ケーブルの挟持張力を制御された形で緩ませるためには、各々制御レバー７を作動させること、それを保持位置Ｒから制御解放位置Ｐまで移動させること（矢印Ｓ２）（図１４〜１９）そしてその後制御レバー７を解放してそれが自動的に保持位置Ｒまで戻る（矢印Ｓ３）ようにすることからなる１つ以上の操作を実施しなければならない。
【００４２】
制御レバー７を作動させる／解放するためのこれらの操作のうちの１つの間の挟持装置１の機能についてここでさらに詳述する。
ここで、この操作中、閉鎖ケーブルは、ケーブルにより挟持された部品が及ぼす反力に起因して、方向Ｄ２に従って滑車３を回転させようとする引張力を常に受けているという点に留意すべきである。
制御レバーを位置Ｐ２までもってくるためには、起動表面７５に作用して制御レバー７を挟持装置の主要本体に向かって押圧することが可能である。
制御レバー７は、位置Ｐ２に到達するまで、回転軸線Ｃを中心にして回転移動Ｓ２（図１４〜１６、１８中で時計回り方向）を実施し、この位置Ｐ２においてそれはベース２の位置２４の第２の停止表面と接触する。
【００４３】
位置Ｐ２に向かう制御レバー７の移動は、バネ８の作用によって対抗される（端部８２）。
制御レバー７の回転Ｓ２中、制御レバー７の部分７１は、ラチェット５の部分５２から離れるように移動し、ラチェットと相互作用しない。
制御レバー７の部分７２は、ラチェット５の部分５３に対して力を加え、制御レバー７の回転移動Ｓ２との関係において反対の方向で回転軸線Ｂを中心としたラチェット５の回転移動を決定する。
ラチェット５の回転移動は、歯付き表面１３１からの歯５１の係合解除を決定する。
【００４４】
ラチェット５の係合解除移動は、バネ８（端部８１）の作用によって対抗され、こうしてこのバネ８はさらに位置Ｐ２に向かう制御レバー７の運動に（間接的）に対抗する。
位置Ｐ２に向かう制御レバー７の回転Ｓ２は、回転軸線Ｃを中心としたラチェット６の調和した回転移動を決定する。こうしてラチェット６の歯６１は歯付き表面１３１と係合する。
ラチェット５〜６の歯５１、６１の間の相互位置づけによって、制御レバー７の移動Ｓ２中、滑車３は方向Ｄ２に従ったわずかな回転を実施し、その間、歯付き表面１３１の各歯はＰ／２（ここでＰは歯付き表面１３１のピッチである）にほぼ等しい距離だけ走行する。
【００４５】
換言すると、制御レバー７の移動Ｓ２中、滑車３は、方向Ｄ２に従って１／２歯分回転して、閉鎖ケーブルの挟持張力の対応する緩みを決定する。
制御レバー７が位置Ｐ２に到達した時点で、ラチェット６は歯付き表面１３１と最終的に係合し、方向Ｄ２に従った１／２歯分の回転移動中に滑車が到達する位置に対応する（方向Ｄ２に従った回転との関係における）新しいロック位置に滑車３を維持する。
制御レバー７は、解放された時点で保持位置Ｒまで自動的に戻る（矢印Ｓ３）。
保持位置Ｒに向かう制御レバー７の回転Ｓ３は、回転軸線Ｃを中心としたラチェット６の調和した回転移動を決定する。こうしてラチェット６の歯６１は歯付き表面１３１から係合解除される。
制御レバー７の部分７３は、ラチェット５の部分５３に対して力を加える。こうしてバネ８（端部８１）の作用は、制御レバー７の回転移動Ｓ３との関係において反対の方向で回転軸線Ｂを中心としたラチェット５の回転移動を決定する。
こうしてラチェット５の回転移動は、ここでもまた歯付き表面１３１と歯５１との係合を決定し、これは、制御レバー７が保持位置Ｒに到達した時点で完了する。
【００４６】
歯５１、６１の相互位置づけによって、制御レバー７の移動Ｓ３中、滑車３は方向Ｄ２に従ったさらなるわずかな回転を実施し、その間、歯付き表面１３１の各歯はＰ／２（ここでＰは歯付き表面１３１のピッチである）にほぼ等しいさらなる距離だけ走行する。
換言すると、制御レバー７の移動Ｓ３中、滑車３は、方向Ｄ２に従ってさらにもう一度１／２歯分回転して、閉鎖ケーブルの挟持張力のさらなる対応する緩みを決定する。
制御レバー７が保持位置Ｒに到達した時点で、ラチェット５は歯付き表面１３１と最終的に係合し、方向Ｄ２に従った１／２歯分のさらなる回転移動中に滑車が到達する位置に対応する（方向Ｄ２に従った回転との関係における）新しいロック位置に滑車３を維持する。
以上のことから、制御レバー７を作動させる／解放するための各々の操作に伴って、滑車３が方向Ｄ２に従って歯一個分だけ回転することは明らかである。
従って、上述の制御レバーの作動／解放操作を反復的に実施することによって、すなわち制御レバー７を保持装置７と制御解放位置Ｐ２との間で交互に作動させることによって、閉鎖ケーブルの挟持張力を漸進的にかつ制御された形で緩ませることが可能である。
図１〜１９に示された実施形態を特に参照しながら、挟持装置１の機能について説明してきた。
【００４７】
当然のことながら、実施形態の変形形態も同様に可能である。
例えば、挟持装置３を複数の閉鎖ケーブルと作動的に結びつけることもできる。
この場合、閉鎖ケーブルの各々は、有利には巻回面３１０において滑車３と作動的に連結され得る。
滑車３及び制御レバー７の回転方向は、閉鎖ケーブルの連結、歯付き表面１３１及び歯５１、６１の配向及び部品の操作配置を適切に修正することによって、逆転させることができる。
ラチェット５は、歯５及び結合部分５２〜５３が実質的にベース２の部分２２に平行な同じ基準平面に沿って配置されるような形で、整形及び位置づけ可能である。
制御レバー７は、結合部分７１〜７２〜７３が、実質的にベース２の部分２２に平行な同じ基準平面に沿って配置されるような形で、整形及び位置づけ可能である。
弾性手段８は、アンカーピン２４３に固定されラチェット５及び制御レバー７と作動的に結び付けられている複数の捩りバネを備え得る。
例えば、第１のバネはラチェット５の歯５１に対して作動的に結合されて、歯付き表面３３１からのその係合解除移動に対抗しかつ、保持位置Ｒから完全解放位置Ｐ１までの制御レバー７の運動に対抗することができる。
【００４８】
第２のバネが制御レバー７に作動的に結合されて、保持位置Ｒから制御解放位置Ｐ２までのレバーの運動に対抗することができる。
実際に、本発明に係る挟持装置は意図された狙い及び目的を達成するものであることがわかっている。
本発明に係る挟持装置は、閉鎖ケーブルと作動的に結び付けられた物品の部品が単純な手動操作により（同じく増分的に）挟持されることを可能にする。
【００４９】
その上、本発明に係る挟持装置は、単一の制御レバーに作用することによって、閉鎖ケーブルを急速に解放すること又は挟持張力を緩めることを可能にする。
【００５０】
上述の機能性が、連続的かつ選択的に容易に調整できる優れた挟持張力レベルを部品間で得ることをいかに可能にするかは、明白である。本発明に係る挟持装置は、非常に直感的な形で容易に使用できる。それは、不利な環境条件下（例えば手袋装着時、又は氷及び雪の中）でさえ、容易に作動させることができる。
【００５１】
本発明に係る挟持装置は、部品間の構造的結合レベルが高い。このため、比較的単純でコンパクト（とりわけ垂直方向、すなわちベース２に直交して）かつ頑強な全体的構造を得ることが可能になっている。
極めてコンパクトなこの構造は、現在市販されている製品に対し競合力あるコストで工業規模で容易に製造できる。
【図１】
2016519604.tif 000003
【図２】
2016519604.tif 000004
【図３】
2016519604.tif 000005
【図４】
2016519604.tif 000006
【図５】
2016519604.tif 000007
【図６】
2016519604.tif 000008
【図７】
2016519604.tif 000009
【図８】
2016519604.tif 000010
【図９】
2016519604.tif 000011
【図１０】
2016519604.tif 000012
【図１１】
2016519604.tif 000013
【図１２】
2016519604.tif 000014
【図１３】
2016519604.tif 000015
【図１４】
2016519604.tif 000016
【図１５】
2016519604.tif 000017
【図１６】
2016519604.tif 000018
【図１７】
2016519604.tif 000019
【図１８】
2016519604.tif 000020
【図１９】
2016519604.tif 000021
【国際調査報告】
2016519604.tif 000022
2016519604.tif 000023
2016519604.tif 000024